(57)【特許請求の範囲】
【請求項１】
エンジンの排気ガスの酸素濃度を検出する手段と、
エンジンの運転状態に応じて所望の目的とする空燃比を算出する手段と、
前記酸素濃度を検出する手段の出力により、前記目的とする空燃比となるようにスライディングモード制御により帰還制御を行う手段と、
噴射された燃料が燃焼し、前記酸素濃度を検出するまでの伝達系の遅れを考慮した伝達系遅れ補正手段と、
前記伝達系の状態に応じて、Ｓ＝（Ｓ１，Ｓ２）で定義される超平面を可変とする手段とを備えたエンジンの制御装置であって、
前記制御装置は、前記Ｓ１と前記Ｓ２とを前記エンジンの回転数に基づいて求め、
前記Ｓ１と前記Ｓ２との少なくとも一方を前記伝達系遅れ補正手段により補正し、
前記超平面を可変とする手段は、前記Ｓ２を前記Ｓ１で除した値の絶対値が、１から前記エンジンの回転数に基づいて予め定められたＨｙｓの値を減じた値よりも小さくなるような領域内で前記超平面を可変とし、かつ
前記Ｓ２を前記Ｓ１で除した値の絶対値が、１から前記エンジンの回転数に基づいて予め定められたＨysの値を減じた値よりも大きい場合は、Ｓ２＝Ｓ１×（１−Ｈys）とすることを特徴とするエンジンの制御装置。
【請求項２】
前記伝達系の遅れは、エンジンの回転速度による、排気ガスの酸素濃度を検出する手段までの到達遅れであることを特徴とする請求項１記載のエンジンの制御装置。
【請求項３】
前記伝達系の遅れは、排気ガス流量によって変化する前記酸素濃度を検出する手段の応答遅れであることを特徴とする請求項１記載のエンジンの制御装置。
【請求項４】
前記伝達系の遅れは、経時劣化等による前記酸素濃度を検出する手段の応答変化であることを特徴とする請求項１記載のエンジンの制御装置。
【請求項５】
前記超平面の可変にする傾向は、前記エンジンの回転数が小さいまたは吸入空気量が少ないほど前記Ｓ２を前記Ｓ１で除した値の絶対値が小さくなるように設定することを特徴とする請求項１乃至４に記載のエンジンの制御装置。
【発明の詳細な説明】
【技術分野】
【０００１】
本発明は、エンジンの燃料制御装置に関し、特にスライディングモード制御による空燃比制御方法に関する。
【背景技術】
【０００２】
従来の技術はといえば、目標空燃比がリッチな領域では、目標とする空燃比に対する実空燃比のバラツキが大きくなるため、切換関数（本願では切換超平面）の傾きをリッチ時以外よりも小さく設定して、スライディングモード制御からのフィードバック係数の制限量を、理論空燃比時よりも制限を強めるとなっていた。
【０００３】
【特許文献１】特開２００７−２４７４２６号公報
【発明の開示】
【発明が解決しようとする課題】
【０００４】
本発明が解決しようとする問題点は、噴射された燃料が前記酸素濃度を検出するまでの伝達系の遅れ時間の変化により、前記伝達系への適切なフィードバックゲインを、スライディングモード制御にて実現することにある。
【課題を解決するための手段】
【０００５】
前記伝達系の安定性（目標に振動，発散なく収束する）が保てる超平面の領域を判定しておき、その領域内で、超平面を可変とする。前記伝達系の遅れ時間は、エンジン回転数による行程遅れ（排気ガス到達遅れ）、ＬＡＦセンサの応答の排ガス流量依存、及び経時劣化等によるＬＡＦセンサ応答時間変化に影響されることとなる。またスライディングモード制御の目標変化時の立上がり速度，収束性は、前記安定性を保てる領域内で、超平面を構成する要素（本願中ではＳ１，Ｓ２と記載）の大小関係で決定することができる。このことから、前記伝達系の遅れ時間に影響する因子により前記超平面を構成する要素を決定することにより、最適な過渡応答が実現できる。
【発明の効果】
【０００６】
エンジンの各運転領域（エンジン回転数低回転−高回転，吸入空気量小−大）で最適な過渡応答を実現できることから、目標空燃比に対するオーバーシュートや到達遅れを抑制し、エミッションの悪化を防止することができる。また目標空燃比に対する実空燃比の発振気味となる現象を防げるため、トルク変動をドライバに感じさせることなく、走行が可能となる。また、空燃比収束バラツキによるアイドル回転数変動も抑制させることができる。
【０００７】
ＬＡＦセンサの応答遅れ時間に対応して、フィードバックの応答を変更するため、ＬＡＦセンサの経時劣化等による、エミッションの悪化を抑制できる。
【発明を実施するための最良の形態】
【０００８】
エンジンの排気ガスの酸素濃度を検出する手段と、
エンジンの運転状態に応じて所望の目的とする空燃比を算出する手段と、
前記酸素濃度を検出する手段の出力により、前記目的とする空燃比となるようにスライディングモード制御により帰還制御を行う手段と、
噴射された燃料が前記酸素濃度を検出するまでの伝達系を考慮した手段と、
前記スライディングモード制御が安定する超平面の領域を予め記憶しておく手段と、
前記伝達系の状態に応じて、前記安定する超平面の領域で、超平面を可変とする手段とを
備えたことを特徴とするものである。
【実施例１】
【０００９】
以下、本発明の主な実施例を図を用いて説明する。図１は、本発明の対象となる燃料の空燃比帰還制御方法を備えた燃料制御装置の制御ブロックの一例である。
【００１０】
ブロック１０１は、エンジン回転数計算手段のブロックである。エンジンの所定のクランク角度位置に設定されたクランク角度センサの電気的な信号、おもにパルス信号変化の単位時間当たりの入力数をカウントし、演算処理することで、エンジンの単位時間当りの回転数を計算する。ブロック１０２は、前述のブロック１０１で演算されたエンジンの回転数、及びエンジンの吸入する空気流量から、各領域におけるエンジンの要求する基本燃料を計算する。ブロック１０３は、前述のブロック１０１で演算されたエンジンの回転数、前述の基本燃料をエンジン負荷として、前述のブロック１０２で計算された基本燃料のエンジンの各運転領域における補正係数を計算する。ブロック１０４は、前述のエンジン回転数、及び前述の基本燃料量からのエンジン負荷によりエンジンの各領域における最適な点火時期をマップ検索等で決定するブロックである。ブロック１０５は、エンジンのアイドリング回転数を一定に保つためにアイドリング時の目標回転数を設定し、ＩＳＣバルブ制御手段への目標流量及びＩＳＣ点火時期補正量を演算する。ブロック１０６は、前記のエンジン回転数と前記基本燃料量からのエンジン負荷により、エンジン運転領域による最適な目標空燃比を決定する。ブロック１０７はエンジンの排気管に設定された空燃比センサの出力と、後述する空燃比フィードバック係数の挙動から、空燃比センサの劣化等を含めた応答遅れを計算するブロックである。ブロック１０８は、前記空燃比センサの応答遅れ，エンジン回転数，吸入空気量，アイドル目標回転数，車速、及びアイドルＳＷ等により、スライディングモード制御の超平面を求める。ブロック１０９は前記で決定された超平面，空燃比センサ出力、及び前記にて決定された目標空燃比から、スライディングモード制御を核として、所望の空燃比を実現するためのフィードバック係数を演算する。ブロック１１０は前記ブロック１０２で計算された基本燃料に対して、前記ブロック１０３の補正係数，エンジン水温による補正、及び前記ブロック１０９の空燃比フィードバック係数等の補正を施す。ブロック１１１は前記ブロック１０４で決定された基本点火時期に対して、前記ブロック１０５のＩＳＣ点火時期補正量とエンジン水温による補正等を施す。ブロック１１２〜１１５は前記ブロック１１０で計算された燃料量に基づいてエンジンに燃料を供給する燃料噴射手段である。ブロック１１６〜１１９は、前述のブロック１１１で補正されたエンジンの要求点火時期に応じてシリンダに流入した燃料混合気を点火する点火手段である。ブロック１２０は、前述のブロック１０５で計算されたアイドリング時の目標流量となるようにＩＳＣバルブを駆動する手段である。尚、本実施例では吸入空気量から計算された基本燃料量をエンジン負荷として代表させているが、エンジンの吸気管負圧で代表させてもよい。
【００１１】
図２は、本発明の対象となる燃料の空燃比帰還制御方法を備えた燃料制御装置が制御するエンジン回りの一例を示している。
【００１２】
エンジン２０１は、吸入する空気量を計測する熱式空気流量計２０２，エンジンの吸入する空気流量を調整するスロットル絞り弁２０３，スロットル絞り弁をバイパスして、吸気管２０５へ接続された流路の流路面積を制御し、エンジンのアイドル時の回転数を制御するアイドルスピードコントロールバルブ２０４，エンジンの要求する燃料を供給する燃料噴射弁２０６，エンジンの所定のカム角度位置に設定されたカム角度センサ２０７，エンジンのシリンダ内に供給された燃料の混合気に点火する点火栓に、エンジン制御装置２１２の点火信号に基づいて点火エネルギを供給する点火モジュール２０８，エンジンのシリンダブロックに設定されエンジンの冷却水温を検出する水温センサ２０９，エンジンの排気管の触媒前に設置され、排気ガス中の酸素濃度に対してリニアな電気的信号を出力する空燃比センサ２１０，エンジンの運転，停止のメインスイッチであるイグニッションキイスイッチ２１１、及びエンジンの各補器類を制御するエンジン制御装置２１２から構成されている。エンジンのアイドリング回転数はアイドルスピードコントロールバルブ２０４で制御しているが、スロットル絞り弁２０３をモータ等で制御するものにした場合は、前記アイドルスピードコントロールバルブ２０４は不用となる。尚、本実施例ではエンジンの吸入空気量を検出して燃料制御を成立させているが、吸気管圧力を検出しても燃料制御は成立する。
【００１３】
図３は、本発明の対象となる燃料の空燃比帰還制御方法を備えた燃料制御装置が制御するエンジン回りの他の例を示している。
【００１４】
前述の図２と異なる点は、燃料噴射弁３０６が吸気弁前ではなく、エンジンのシリンダに向けて設置されており、シリンダ内に直接燃料を噴射する。このため、燃圧を上昇させる高圧燃料ポンプ３０７、及び燃圧センサ３０８が別途設定されている。
【００１５】
図４は、本発明の対象となる燃料の空燃比帰還制御方法を備えた燃料制御装置の内部構成の一例である。ＣＰＵ４０１の内部にはエンジンに設置された各センサの電気的信号をデジタル演算処理用の信号に変換、及びデジタル演算用の制御信号を実際のアクチュエータの駆動信号に変換するＩ／Ｏ部４０２が設定されており、Ｉ／Ｏ部４０２には、水温センサ４０３，カム角センサ４０４，空燃比センサ４０５，吸入空気量センサ４０６，スロットル開度センサ４０７，車速センサ４０８，イグニッションＳＷ４０９が入力されている。ＣＰＵ４０１からの出力信号ドライバ４１０を介して、燃料噴射弁４１１〜４１４，点火コイル４１５〜４１８、及びＩＳＣバルブへのＩＳＣ開度指令値４１９へ出力信号が送られる。
【００１６】
ここで本実施例の燃料の空燃比帰還制御方法を備えたエンジンの空燃比帰還制御係数（空燃比フィードバック係数）を求めるための基本式を示す。式１は、空燃比センサの伝達関数を示しており、燃料噴射量の燃空比と空燃比センサが検出する燃空比は、空燃比センサの伝達関数を介した、本式で表せる。尚、燃空比は正規化された形の値であり、燃料量を空気量で除した値に理論空燃比（約１４.５）を乗じたものである（燃空比と称される）。
【００１７】
【数１】
0004919945.tif 000002
【００１８】
式２は、空燃比センサの状態空間を表している。式２−（１）が状態方程式であり、式２−（２）が出力方程式である。前記式１より導き出される。またＸ１及びＸ２は内部状態変数を表している。
【００１９】
【数２】
0004919945.tif 000003
【００２０】
式３は本実施例で用いられるスライディングモード制御の超平面，線形入力，非線形入力、及び切換超平面を表したのものである。式３−（１）は超平面の定義であり、Ｓ１，Ｓ２の２ヶの数値で定義されている。式３−（２）は線形入力、式３−（３）は非線形入力を表しており、前述の式２の状態空間及び後述する切換超平面から導き出される。式３−（４）は切換超平面であり、切換超平面を決定するための超平面と乗じられる評価値は、内部状態変数の現在値と、内部状態変数の収束値との差分である。
【００２１】
【数３】
0004919945.tif 000004
【００２２】
式４は、本実施例で用いられるスライディングモード制御の最終出力（空燃比フィードバック係数）を表している。式４−（１）は、前述の線形入力と非線形入力を加算し、空燃比フィードバック係数を計算している。尚、式４−（２）は、本実施例のスライディングモード制御が安定するための、超平面のＳ１，Ｓ２の関係式を表している。式４−（２）が成立するＳ１とＳ２の関係領域では、空燃比フィードバック係数の発散，振動は発生しない。尚、この安定するための領域は、式２−（１）と切換関数から求められるが、詳細は割愛する。
【００２３】
【数４】
0004919945.tif 000005
【００２４】
図５は、本実施例の燃料の空燃比帰還制御方法を備えたエンジンのスライディングモード制御による空燃比フィードバックの全体のブロックの一例である。加算器５０１には目標燃空比と実燃空比の差分に前回のスライディングモード制御からの空燃比フィードバック係数が加算され、ブロック５０２のＬＡＦセンサ状態空間に入力される。ＬＡＦセンサ状態空間からは、ＬＡＦセンサの状態変数が出力される。ブロック５０３では、吸入空気量，エンジン回転数，ＬＡＦセンサ応答時定数，車速，アイドル目標回転数、及びアイドルＳＷにより超平面を決定する。ブロック５０４では、目標燃空比と実燃空比から非線形ゲインを決定する。ブロック５０５では、前記ＬＡＦセンサの状態変数と前記決定された超平面で、線形入力を計算する。ブロック５０６では、前記ＬＡＦセンサの状態変数と、前記超平面及び前記非線形ゲインから非線形入力を計算する。加算器５０７で前記線形入力と非線形入力を加算し、空燃比フィードバック係数として出力する。
【００２５】
図６は、本実施例の燃料の空燃比帰還制御方法を備えたエンジンのスライディングモード制御の非線形ゲイン決定のブロックの一例である。
【００２６】
加算器６０１及びブロック６０２で目標燃空比と実燃空比との差分の絶対値を計算する。ブロック６０３で前記差分の絶対値から非線形ゲインをテーブル検索する。
【００２７】
図７は本実施例の燃料の空燃比帰還制御方法を備えたエンジンのスライディングモード制御の超平面決定のブロックの一例である。ブロック７０１でエンジン回転数から超平面のＳ１をテーブル検索する。ブロック７０２でエンジン回転数から超平面のＳ２をテーブル検索する。ブロック７０３では、吸入空気量から吸入空気量補正をテーブル検索する。本補正は、ＬＡＦセンサ応答性の排ガスの流量依存補正となる。ブロック７０４では、ＬＡＦセンサ応答遅れ指標より、応答遅れ補正量をテーブル検索する。尚、ＬＡＦセンサの応答遅れ指標は、システム同定、入力された燃料量に対する応答等から求められるが、ここでは詳細は割愛する。乗算器７０５では、前記Ｓ１に対して、前記吸入空気量補正、及び前記応答後れ補正量を補正する。尚、本例ではＳ１に対して補正しているが、Ｓ２もしくはＳ１及びＳ２両方に補正してもよい。ブロック７０６は、超平面最終決定部であり、前記補正されたＳ１，前記Ｓ２，エンジン回転数，アイドル目標回転数，アイドルＳＷ、及び車速等により、最終的な超平面を決定する。
【００２８】
図８は前述の図７の超平面最終決定部の詳細な制御ブロック構成の一例である。ブロック８０１及び８０２でＳ２／Ｓ１の絶対値を計算する。比較器８０３で前記絶対値が所定の値より小さいか否かを判断する。尚前記所定の値は、式４−（２）の安定限界１からブロック８０６でエンジン回転数からテーブル検索されたＨysの値を加算器８０５により減算した値とする。比較器８０３で所定の値以上と判断された場合は、Ｓ２は乗算器８０７とスイッチ８０８で１−Ｈysの値とＳ１を乗じた値を出力することとなる。加算器８０９及びブロック８１０でエンジン回転数とアイドル目標回転数の差の絶対値を計算する。前記絶対値が所定の値８１１より小さいと比較器８１２で判断され、且つ車速が比較器８１４で所定の値８１３より小さいと判断され、且つアイドルＳＷがＯＮの場合は、ブロック８０１〜８０８で決定されたＳ１，Ｓ２に優先してスイッチ８１７，８１９でアイドル時の値としてＳ１は所定値８１６、Ｓ２は８１８が選択される。
【００２９】
図９は本実施例のエンジンにおけるエンジン回転数と排ガスのＬＡＦセンサへの到達時間（行程後れ時間）を示している。本時間は、図のような傾向を示しており、式９０１のように表される。
【００３０】
図１０は、本実施例のエンジンに設置されているＬＡＦセンサの時定数の排ガス流量依存の一例である。時定数は、図のような傾向を示しており、通常の領域では、１００１に示すように、１５０ms〜２００msが目安となるが、排気ガス流量が少ない領域では長くなっていく。
【００３１】
図１１は、本実施例の燃料の空燃比帰還制御方法を備えたエンジンのスライディングモード制御の超平面のＳ１の設定傾向の一例である。エンジン回転数が小さいまたは、吸入空気量が少ない程、大きくなるように設定している。
【００３２】
図１２は本実施例の燃料の空燃比帰還制御方法を備えたエンジンの目標空燃比変化時の実空燃比挙動の一例である。チャート１２０１は目標空燃比であり、時刻１２０２よりステップ変化させている。チャート１２０３は、エンジン回転数が高回転且つ吸入空気量が大の場合の目標空燃比に追従する実空燃比を表している。チャート１２０４は、前記チャート１２０３に対して、エンジン回転数が低回転且つ吸入空気量が小の場合で、前記チャート１２０３の超平面に補正を加えていない場合の実空燃比挙動を示している。図のように目標空燃比に対してオーバーシュートが大きくなり、振動気味になっている。チャート１２０５は前記チャート１２０４の超平面に対して本実施例の超平面の補正を施した場合の実空燃比変動を示している。前記チャート１２０４のオーバーシュートは無くなり、安定して目標空燃比を追従している。
【００３３】
図１３は本実施例の空燃比帰還制御方法を備えた燃料制御装置の制御のフローチャートの一例である。ステップ１３０１でクランク角度センサの電気的な信号、おもにパルス信号変化の単位時間当たりの入力数をカウントし、演算処理によりエンジン回転数を計算する。ステップ１３０２で熱式空気流量計の出力電圧から電圧流量換算された空気流量を読み込む。ステップ１３０３で前記エンジン回転数と前記吸入空気量から基本燃料量を計算する。ステップ１３０４で前記エンジン回転数と前記基本燃料量で基本燃料補正係数をマップ検索する。ステップ１３０５でＬＡＦセンサの出力電圧を電圧−空燃比変換した実空燃比を読み込む。ステップ１３０６で前記エンジン回転数と基本燃料（負荷）で目標空燃比をマップ検索する。ステップ１３０７でＬＡＦセンサの劣化等の応答遅れを検出する。ステップ１３０８でスライディングモード制御の超平面を選択（計算）する。ステップ１３０９でスライディングモード制御により空燃比フィードバック係数を求める。ステップ１３１０で前記基本燃料補正係数及び空燃比フードバック係数の補正を基本燃料量に施す。ステップ１３１１で前記補正された基本燃料量を噴射量としてセットする。ステップ１３１２でアイドル時の目標回転数を設定する。ステップ１３１３で前記アイドル時の目標回転数を実現できる目標流量を計算する。ステップ１３１４でアイドル時の回転変動を抑制するための点火補正量を計算する。ステップ１３１５で前記目標流量をＩＳＣ流量制御手段へ出力する。ステップ１３１６で前記エンジン回転数と前記基本燃料（負荷）から基本点火時期をマップ検索する。ステップ１３１７で前記基本点火時期に対して、前記ＩＳＣの点火時期補正及びエンジン水温等の補正を施し、ステップ１３１８で点火時期をセットする。
【００３４】
図１４は前述の図５のブロック図の詳細なフローチャートの一例である。ステップ１４０１で目標燃空比，実燃空比、及び前回の空燃比フィードバック係数を読み込む。ステップ１４０２で前記目標燃空比と実燃空比との差分に前回の空燃比フィードバック係数を加算する。ステップ１４０３で前記加算値をＬＡＦセンサ状態空間に入力し、ＬＡＦセンサ状態変数を計算する。ステップ１４０４で吸入空気量，エンジン回転数，ＬＡＦセンサ応答遅れ時定数，車速，アイドル目標回転数、及びアイドルＳＷから超平面を決定する。ステップ１４０５で目標燃空比と実燃空比の差の絶対値から非線形ゲインをテーブル検索する。ステップ１４０６で前記状態変数と超平面から線形入力を計算する。ステップ１４０７で状態変数，超平面及び非線形ゲインから非線形入力を計算する。ステップ１４０８で前記線形入力と非線形入力を加算し、空燃比フィードバック係数を計算する。
【００３５】
図１５は前述の図６の、ブロック図の詳細なフローチャートの一例である。ステップ１５０１で目標燃空比と実燃空比を読み込む。ステップ１５０２で前記目標燃空比と前記実燃空比との差分を計算する。ステップ１５０３で前記差分の絶対値を計算する。ステップ１５０４で前記差分の絶対値から非線形ゲインをテーブル検索する。
【００３６】
図１６は前述の図７の、ブロック図の詳細なフローチャートの一例である。ステップ１６０１でエンジン回転数，吸入空気量及びＬＡＦセンサ応答遅れ指標を読み込む。ステップ１６０２で前記エンジン回転数より超平面のＳ１，Ｓ２をテーブル検索する。ステップ１６０３で前記吸入空気量から吸入空気量補正値をテーブル検索する。ステップ１６０４でＬＡＦセンサ応答遅れ指標より応答遅れ補正をテーブル検索する。ステップ１６０５で前記Ｓ１に前記吸入空気量補正及び応答遅れ補正を施す。ステップ１６０６でアイドル目標回転数，アイドルＳＷ及び車速を読み込む。ステップ１６０７で前記補正されたＳ１，Ｓ２、エンジン回転数，アイドル目標回転数，アイドルＳＷ、及び車速により最終的な超平面のＳ１，Ｓ２を決定する。
【００３７】
図１７は前述の図８の、ブロック図の詳細なフローチャートの一例である。ステップ１７０１でエンジン回転数，アイドル目標回転数，アイドルＳＷ、及び車速を読み込む。ステップ１７０２で前記アイドル目標回転数と前記エンジン回転数の差分の絶対値を計算する。ステップ１７０３，１７０４、及び１７０５で前記差分の絶対値が所定値１未満か、車速が所定値２未満か、アイドルＳＷがＯＮかを判断し、全てが真であれば、ステップ１７１２，１７１３でＳ１にＳ１ＩＤＬＥ、Ｓ２にＳ２ＩＤＬＥを設定する。前記の条件にひとつでも偽があれば、ステップ１７０６〜１７１１に分岐する。ステップ１７０６でＳ２を補正後のＳ１で除した値の絶対値を計算する。ステップ１７０７で前記エンジン回転数からＨysをテーブル検索する。ステップ１７０８で前記除した値の絶対値が１−Ｈysより小さいか否かを判断する。大きい場合（以上を含む）は、ステップ１７０９でＳ１が正か負かを判断し、負であれば、ステップ１７１１で−Ｓ１×（１−Ｈys）、正であれば、ステップ１７１０でＳ１×（１−Ｈys）をＳ２に入れ替える。
【図面の簡単な説明】
【００３８】
【図１】本発明の燃料制御装置の、制御ブロックの一例。
【図２】本発明の燃料制御装置が、制御するエンジン回りの一例。
【図３】本発明の燃料制御装置が、制御するエンジン回りの他の例。
【図４】本発明の燃料制御装置の、内部構成の一例。
【図５】本発明の燃料制御装置の、空燃比フィードバックの制御ブロックの一例。
【図６】本発明の燃料制御装置の、非線形ゲイン決定のブロックの一例。
【図７】本発明の燃料制御装置の、超平面決定のブロックの一例。
【図８】前述の図７の超平面の、最終決定ブロックの一例。
【図９】本発明のエンジンの、排ガスの到達時間の一例。
【図１０】本発明のＬＡＦセンサの、応答時間の排ガス流量依存の一例。
【図１１】本発明の燃料制御装置の、超平面の設定の一例。
【図１２】本発明の燃料制御装置を備えたエンジンの、目標空燃比と実空燃比の挙動の一例。
【図１３】本発明の燃料制御装置の、全体の制御のフローチャートの一例。
【図１４】前述の図５の、ブロック図の詳細なフローチャートの一例。
【図１５】前述の図６の、ブロック図の詳細なフローチャートの一例。
【図１６】前述の図７の、ブロック図の詳細なフローチャートの一例。
【図１７】前述の図８の、ブロック図の詳細なフローチャートの一例。
【符号の説明】
【００３９】
１０２  基本燃料計算手段
１０６  目標空燃比算出手段
１０８  超平面決定手段
１０９  空燃比帰還制御係数計算手段
１１０  基本燃料補正手段
１１２〜１１５  燃料噴射手段
２０１  エンジン
２０２  熱式空気流量計
２０６，３０６  燃料噴射弁
２０７  カム角度センサ
２０８  点火モジュール
２１０  空燃比センサ（ＬＡＦセンサ）
２１２  燃料制御装置
５０２  ＬＡＦセンサ状態空間
５０３  超平面決定部
５０４  非線形ゲイン決定部
５０５  線形入力
５０６  非線形入力
１２０４  エンジン回転低回転，吸入空気量小，超平面切換無の空燃比
１２０５  エンジン回転低回転，吸入空気量小，超平面切換有りの空燃比
【図１】
0004919945.tif 000006
【図２】
0004919945.tif 000007
【図３】
0004919945.tif 000008
【図４】
0004919945.tif 000009
【図５】
0004919945.tif 000010
【図６】
0004919945.tif 000011
【図７】
0004919945.tif 000012
【図８】
0004919945.tif 000013
【図９】
0004919945.tif 000014
【図１０】
0004919945.tif 000015
【図１１】
0004919945.tif 000016
【図１２】
0004919945.tif 000017
【図１３】
0004919945.tif 000018
【図１４】
0004919945.tif 000019
【図１５】
0004919945.tif 000020
【図１６】
0004919945.tif 000021
【図１７】
0004919945.tif 000022